(57)【要約】【課題】ウェットティッシュ等の内容物を収納する容器において、使用開始時に、取出孔に内容物の端部を挿通（貫通）しやすいパッキンを得る。【解決手段】内部にウェットティッシュ等を収納する容器の取り出し口に挿嵌し、前記ウェットティッシュ等を必要な分だけ順次取り出し可能とするパッキンにおいて、ウェットティッシュ等の取り出し孔（１１１）を有する取り出し部（１１）と、取り出し部の左右にあって容器に繋止する繋止部（１２）と、からなる弾性体によって形成され、取り出し部が、取り出し孔に対して充分に広い平面を有する取り出し面（１１２）を有し、かつ、取り出し部と繋止部は、それぞれ周縁をリブで囲まれており、これらのリブは薄肉部（１３）を介して互いに連結していることを特徴とする取り出し用パッキン（１）。【選択図】図５
2020147306.tif 000002
【特許請求の範囲】
【請求項１】
内部にウェットティッシュ等を収納する容器の取り出し口に挿嵌し、
前記ウェットティッシュ等を必要な分だけ順次取り出し可能とするパッキンにおいて、
ウェットティッシュ等の取り出し孔を有する取り出し部と、取り出し部の左右にあって容器に繋止する繋止部と、からなる弾性体によって形成され、
取り出し部が、取り出し孔に対して充分に広い平面を有する取り出し面を有し、
かつ、取り出し部と繋止部は、それぞれ周縁をリブで囲まれており、これらのリブは薄肉部を介して互いに連結していることを特徴とする取り出し用パッキン。
【請求項２】
パッキンの取り付け部には、パッキンと同じ形状に沿うようにアンダーカット形状が設けられていることを特徴とする請求項１に記載の取り出し用パッキン。
【請求項３】
取り出し部と繋止部を繋ぐ薄肉部を０．３ｍｍ〜１．５ｍｍ、前記薄肉部に並設する取り出し部や繋止部の肉厚部を１．５ｍｍ〜２ｍｍの厚みとしたことを特徴とする請求項１又は２に記載の取り出し用パッキン。
【請求項４】
請求項１〜３のいずれかに記載の取り出し用パッキンを有することを特徴とする容器。
【発明の詳細な説明】
【技術分野】
【０００１】
本発明は、内部にウェットティッシュ等を収納する容器の取り出し口に挿嵌し、前記ウェットティッシュを必要な（使用する）分だけ順次取り出し可能とするパッキン、および、それを有する容器に関する。
【背景技術】
【０００２】
ウェットティッシュ、化粧落としなど、液体を含有した不織布や紙素材などを収納する容器は、内部の揮発成分等が抜けないように密封することも必要であるが、ウェットティッシュを必要な（使用する）分だけ順次取り出すことができる機能も重要である。
【０００３】
例えば、特許文献１では、
内側に家庭用薄葉紙を収納するとともに、収納された前記家庭用薄葉紙を外側に取り出す取出部を具備する容器本体と、前記容器本体に前記取出部を開閉するように取り付けられた蓋体と、を備える家庭用薄葉紙収納容器であって、
前記取出部は、弾性変形可能な面部と、前記面部に設けられて前記家庭用薄葉紙が挿通される取出孔と、を備え、
前記面部は、前記容器本体の外側に凸となる形状を有しており、前記容器本体の内側に向けて押し込まれて弾性変形された前記面部が反発することで、前記容器本体の外側に凸となるように復元し、
前記面部が前記容器本体の内側に向けて押し込まれる際に、前記取出孔の開口が広がり、その押し込まれた前記面部が前記容器本体の外側に向けて復元する際に、前記取出孔の開口が当初のサイズに戻ることを特徴とする家庭用薄葉紙収納容器を提案している。
【０００４】
ここで使用される家庭用薄葉紙は、破断可能な繋止部によって繋がった状態で収納されている。そして、このような家庭用薄葉紙収納容器は、使用開始時に、前記取出孔に家庭用薄葉紙の端の一端を挿通（貫通）させる必要がある。
薄葉紙の端の一端を挿通（貫通）させるには、取出し部、あるいは蓋全体を一旦外し、その内側から取出孔に薄葉紙の一端を細めて、取出孔に挿通（貫通）する。
この時、指先に薄葉紙の細めた一端を絡めて指先を取出孔に突き刺して、貫通させ、つまむことが可能な大きさの薄葉紙先端を、取出孔の外側に飛び出させるようにする。
しかしながら、この家庭用薄葉紙収納容器は、取出部が小さく、かつ、外側に凸となる形状の弾性変形可能な面部と、薄葉紙が挿通される取出孔と、を備えているだけである。
この為、取出孔に薄葉紙の端の一端を挿通（貫通）させようとしても、孔は大きく広がりにくく、なかなか、挿通（貫通）しにくい問題があった。
【先行技術文献】
【特許文献】
【０００５】
【特許文献１】特許第５４１０８６７号公報
【発明の概要】
【発明が解決しようとする課題】
【０００６】
そこで、ウェットティッシュ等の内容物を収納する容器において、使用開始時に、取出孔に内容物の端部を挿通（貫通）しやすいパッキンを得ることが本発明の課題である。
【課題を解決するための手段】
【０００７】
本発明のパッキンは、
内部にウェットティッシュ等を収納する容器の取り出し口に挿嵌し、
前記ウェットティッシュ等を必要な分だけ順次取り出し可能とするパッキンにおいて、
ウェットティッシュ等の取り出し孔を有する取り出し部と、取り出し部の左右にあって容器に繋止する繋止部と、からなる弾性体によって形成され、
取り出し部が、取り出し孔に対して充分に広い平面を有する取り出し面を有し、
かつ、取り出し部と繋止部は、それぞれ周縁をリブで囲まれており、これらのリブは薄肉部を介して互いに連結していることを特徴とする取り出し用パッキンである。
【発明の効果】
【０００８】
本発明のパッキンは、リブで囲まれて独立した機能領域を有した取り出し部と繋止部とからなる弾性体によって形成され、それらがリブの外側で薄肉部によって連結し、取り出し部が遊動（変形）可能になっている。この為、取り出し部が上方に浮き上がって、露出しやすく、同時に取り出し孔が大きく広がって、取り出し孔にティッシュを巻き込みながら指先を突き刺しやすくなるので、ティッシュの一端を挿通（貫通）しやすく、使用開始しやすいパッキンである。
【図面の簡単な説明】
【０００９】
【図１】本発明の取り出し用パッキンを嵌合したキャップで、キャップの蓋部を開口した状態を示す平面図と縦断面図である。
【図２】本発明の取り出し用パッキンを嵌合したキャップで、キャップの蓋部を閉口した状態を示す平面図と縦断面図である。
【図３】本発明の取り出し用パッキンを嵌合したキャップを、内容物を充填した容器に螺合した状態を示す縦断面図である。
【図４】本発明の取り出し用パッキンを嵌合したキャップで、取り出し用パッキンの中央近傍に設けた取り出し孔を徐々に押し広げる状況を示す縦断面図である。
【図５】本発明の取り出し用パッキンで、その正面図、側面図、縦断面図と、取り出し孔の形状例を示す正面図である。
【発明を実施するための形態】
【００１０】
以下、本発明の取り出し用パッキンの実施形態例について、図を用いて詳細に説明する。
図１は、本発明の取り出し用パッキン１を嵌合したキャップ２で、キャップ２の蓋部２１を開口した状態を示す平面図と縦断面図である。
本発明の取り出し用パッキン１は、図１に示すように、大口径のキャップ２の中央に嵌合するパッキンで、パッキン単体としては、第一実施形態例を図５−１にその正面図、側面図、縦断面図で示した。
また、取り出し用パッキン１を嵌合したキャップ２を使用した容器の実施形態例として、図３に、その縦断面図を示した。この図３に示す内容物５はウエットティッシュであるが、拭き掃除用のウエット不織布などであっても良い。
また、容器本体４は、図３に示す円筒状のボトルであってもよいが、四角柱、六角柱などの角柱形状のブローボトルであっても、射出成形ブロー成形の容器であっても、上下に分割して成形するコンパクトタイプの射出成形容器などであってもかまわない。
ブロー成形する場合には、上端に袋状の切り落とし部分を設けて成形し、成形後それを切り落として大口径のボトルを得る方法で、安定した成形が可能である。
【００１１】
内容物５は、その一部を取り出し用パッキン１の取り出し孔１１１に挿通（貫通）して一部が飛び出た状態で使用開始される。
この取り出し孔１１１に内容物の一端を通すのには、一旦キャップ２を容器本体４から外し、取り出し用パッキン１の取り出し孔１１１内側に内容物の端部をつまんで、その内容物の一部を取り出し孔１１１の外側にまで押しやって通し、取り出し孔１１１の弾性によって内容物端部を挟んだ状態を維持可能とさせる。
内容物の取り出し時には、その取り出し孔１１１から飛び出している内容物の端部をつまんで引き上げ、引っ張って取り出す。すると、内部で、次の内容物が絡んだ状態で、取り出し孔１１１からその一部が飛び出し、かつ、取り出し孔１１１に挟まった状態で固定され、次の内容物も容易に取り出し可能となる。
【００１２】
本発明の取り出し用パッキン１は、図５−１に示すように、中央に取り出し孔１１１を有する取り出し部１１と、左右の羽形状をした繋止部１２と、からなり、取り出し部１１と繋止部１２とが境界で薄肉部１３によって連結した構成で、容易に変形可能な弾性体によって形成されている。
【００１３】
取り出し部１１は、中央に取り出し孔１１１と、その取り出し孔１１１に対して充分に広い平面を有する取り出し面１１２とを有し、その周縁を取り出し部周縁リブ１１３で囲んでいる。
この取り出し孔１１１は、第一実施形態例では十字の切れ目による孔で、通常時は閉じているが、指で押し込んで、押し広げると切れ目が広がり、開孔することができる取り出し孔１１１である。
このように、可撓性を有し、押し圧に容易に変形し、取り出し機能を有する領域を作り出すことが可能な取り出し面１１２が設けられ、その可撓性を有する面の中央に取り出し孔１１１が設けられている。この為、少なくとも取り出し孔１１１近傍の取り出し面１１２の厚みは薄く、かつ、取り出し孔に対して充分に広い平面を有した形状とし、材質は可撓性の高い軟質の弾性体によって製造する。
取り出し孔１１１は、この十字の切れ目による孔の他に、図５−２に円形に開口した取り出し孔１１１、図５−３にスリットからなる取り出し孔１１１、図５−４に長円形に開口した取り出し孔１１１などの実施形態例が考えられる。
【００１４】
繋止部１２は、取り出し部１１の左右にあって、キャップ内側に繋止する目的で形成され、取り出し面１１２が押圧されて、変形した場合であっても、確実にキャップの中央開口部近傍から抜け出て、外れたりしないように保持可能とする目的で形成されている。この為、繋止部１２は、周縁に、繋止部周縁リブ１２１を有し、キャップのキャップ繋止リブ２２１やキャップ繋止爪２２２などのアンダーカットに係止し、外れにくい構造としている。
【００１５】
取り出し部１１と繋止部１２とを境界で連結する薄肉部１３は、線状の薄肉部で形成され、容易に変形しやすい構造となっている。
薄肉部１３は、薄くてヒンジのような役目と、伸びて、より取り出し面１１２が変形しやすいようにする役目があるが、あくまでも、強度は高く、容易に切れない必要がある。そこで、取り出し部と繋止部を繋ぐ薄肉部１３の厚みを０．３ｍｍ〜１．５ｍｍとし、かつ、前記薄肉部に並設する取り出し部や繋止部の厚みを１．５ｍｍ〜２ｍｍとする。
【００１６】
図１の左側に描画したＡ−Ａ断面図は、取り出し用パッキン１の繋止部１２における断面が明確に見えやすくした断面図である。
キャップ本体２１の中央内側に繋止された取り出し用パッキン１の繋止部１２は、上面側では繋止部周縁リブ１２１内側にキャップ繋止リブ２２１が挿嵌し、下面周縁リブ１２２にはキャップ繋止爪２２２が係止して、固定している。
【００１７】
図１の下側に描画したＢ−Ｂ断面図は、取り出し用パッキン１の取り出し孔１１１を通る断面で、取り出し用パッキン１の嵌合状態が明確に見えやすくした断面図である。
取り出し用パッキン１は、左右の繋止部１２だけで、キャップ２に係止し、取り出し部１１は、浮いた状態で固定されている。
【００１８】
図１の平面図で見るように、キャップ２の中央開口部２２は取り出し用パッキン１の取り出し部１１を露出した大きさとしている。
これにより、取り出し孔１１１内側から指等で押し広げて内容物の一端を押し出す時に、取り出し用パッキン１は遊動可能に取り付けられて、キャップ２の天板に邪魔されず、確実に取り出し面１１２が外側に大きく変形して押し出しされ、取り出し面が大きく引き伸ばされる様に、変形させることが可能となる。
【００１９】
蓋部２１は、キャップ２の本体とヒンジ２４で繋がっている。図では、ミラーヒンジとしたが、バタフライヒンジであっても、単純な帯状のヒンジであってもかまわない。
キャップ２の上面周縁から垂下するキャップ側壁２５には、内側に容器本体４と螺合する内ネジ２５１が設けられている。内ネジの代わりに、打栓式の嵌合キャップとしてもかまわない。
【００２０】
図２は、図１のキャップ２の蓋部２１を閉めた状態を示す図である。
キャップ２外側のキャップ天板２６と開口面板２７との境には、掛止リング２３があって、円形状に設けられた蓋部２１の掛止凹部２１１によって、密封可能としている。
【００２１】
図４は、本発明の取り出し用パッキン１を嵌合したキャップ２で、取り出し用パッキン１中央部の取り出し面１１２内側を押して、取り出し孔１１１を徐々に押し広げる状況を示す縦断面図である。
工程としては、図４−１のように、容器本体４からキャップ２を外す。
図２に示すように、キャップ２の天板２６には、ヒンジ２４の反対側に天板段差部２６１があって、蓋部２１の蓋端部２１０が露出している所を設けている。
そこで、次に、露出している蓋端部２１０に指を引っ掛けて蓋部２１を外し、取り出し用パッキン１の外側を露出し、キャップ２をひっくり返す。
【００２２】
次に、図４−２のように、取り出し面１１２の中央に、内容物５のウエットティッシュの一端を当てた状態で、指先を押し込んで、取り出し面１１２を変形させる。
この時、取り出し用パッキン１の左右にある繋止部１２は、キャップ２のキャップ掛止リブ２２１や掛止部周縁リブ１２１によってしっかりと掛止されているので、薄肉部１３が大きく変形し、より、取り出し面１１２が変形しやすくなる。
【００２３】
さらに、図４−３では、取り出し面１１２に指先を押し込むと、取り出し孔１１１が大きく開き、内容物５のウエットティッシュの一端が、取り出し孔１１１の先に押し出される。
取り出し孔１１１の先に内容物５のウエットティッシュの一端が押し出された状態で、指先を外し、キャップ２を容器本体４に嵌合して容器を閉め、蓋部２１を閉めた状態が、図３となる。
【００２４】
本発明の取り出し用パッキンに使用する材料は、シリコーンゴム、天然ゴム、イソプレンゴム、ブチルゴム、エチレンプロピレンゴム、ニトリルゴム、アクリルゴム、ウレタンゴムなどのゴムや、ポリエステル系エラストマーなどのエラストマーが使用でき、一般的な圧縮成形などによって成形できる。
【００２５】
本発明のキャップに使用する材料は、高圧法低密度ポリエチレン、直鎖状低密度ポリエチレン、中密度ポリエチレン、高密度ポリエチレン、ブロック・エチレン・ポリプロピレン共重合体、ランダム・エチレン・ポリプロピレン共重合体、エチレン・酢酸ビニル共重合体などの樹脂単体、あるいはそれらを混合した熱可塑性で融着性の高い樹脂が使用できる。
これらは、射出成形金型を用い、一般的な射出成形機で量産できるので、生産性も高い。
【００２６】
本発明の容器本体に使用するプラスチックは、高密度ポリエチレン、直鎖状低密度ポリエチレン、ポリプロピレン、ポリエチレンテレフタレート、ポリカーボネートなどの樹脂を使用し、成形した容器が使用できる。
これらは、一般的なブロー成形や射出ブロー成形、延伸ブロー成形でも製造できる。また、射出成形によってコンパクト容器などのような形状であっても使用できる。
【００２７】
本発明の取り出し用パッキンは、以上のような物で、繋止部が確実にキャップに掛止し、取り出し部がリブで囲まれて独立した機能領域を持つことによって、閉鎖しやすく、内容物を挟んだ状態で維持しやすくなっている。
そして、それらが、弾性体によって形成され、リブの外側で薄肉部によって連結し、取り出し部が遊動可能になっていることによって、取り出し部が上方に浮き上がって、露出しやすく、同時に取り出し孔が大きく広がって、取り出し孔にティッシュを巻き込みながら指先を突き刺しやすくなるので、ティッシュの一端を挿通（貫通）しやすく、使用開始しやすいパッキンであり、本発明のメリットは高い。
【符号の説明】
【００２８】
１・・・・・・・・・取り出し用パッキン
１１・・・・・・・・取り出し部
１１１・・・・・・・取り出し孔
１１２・・・・・・・取り出し面
１１３・・・・・・・取り出し部周縁リブ
１２・・・・・・・・繋止部
１２１・・・・・・・繋止部周縁リブ
１２２・・・・・・・下面周縁リブ
１３・・・・・・・・薄肉部
２・・・・・・・・・キャップ
２１・・・・・・・・蓋部
２１０・・・・・・・蓋端部
２１１・・・・・・・掛止凹部
２２・・・・・・・・中央開口部
２２１・・・・・・・キャップ繋止リブ
２２２・・・・・・・キャップ繋止爪
２３・・・・・・・・掛止リング
２４・・・・・・・・ヒンジ
２５・・・・・・・・キャップ側壁
２５１・・・・・・・内ネジ
２６・・・・・・・・天板
２６１・・・・・・・天板段差部
２７・・・・・・・・開口面板
４・・・・・・・・・容器本体
５・・・・・・・・・内容物（ウェットティッシュ）
【図１】
2020147306.tif 000003
【図２】
2020147306.tif 000004
【図３】
2020147306.tif 000005
【図４】
2020147306.tif 000006
【図５】
2020147306.tif 000007